(57)【要約】【課題】風呂蓋を利用して、少量の湯で浴槽本体の湯溜め部を所定の水位まで満たしたり、入浴スペースを広くしたりと使い分けることができ、しかも前記湯量を抑えることができる使用状態においては、足を伸ばしたり、膝を曲げたりできるリラックスした状態で入浴できる浴槽を提供する。【解決手段】浴槽本体１の平面視長辺に相当する両内側面１ａ、１ｂに長手方向略中央部の上端から短辺に相当する一方の内側面１ｃ下部まで伸びる傾斜溝２、２を形成する。浴槽本体１の湯溜め部６の短辺幅と略同じ幅を有する風呂蓋４ａの両側端部を前記両傾斜溝２、２の全長に亘って着脱自在に嵌め込む。【選択図】        図１
2004350795.tif 000002
【特許請求の範囲】
【請求項１】
浴槽本体の平面視長辺に相当する両内側面に長手方向略中央部の上端から短辺に相当する一方の内側面下部まで伸びる傾斜溝を形成し、浴槽本体の湯溜め部の短辺幅と略同じ幅を有する風呂蓋の両側端部を前記両傾斜溝の全長に亘って着脱自在に嵌め込んでなることを特徴とする浴槽。
【請求項２】
上記両傾斜溝に嵌め込んだ風呂蓋の両側端部と、該風呂蓋の浴槽本体の短辺に相当する一方の内側面下部に当接される部分に、パッキンを設けてなることを特徴とする請求項１記載の浴槽。
【発明の詳細な説明】
【０００１】
【発明の属する技術分野】
本発明は、使用する湯量を抑えることができる浴槽に関するものである。
【０００２】
【従来の技術】
従来より入浴の際には浴槽本体の湯溜め部に溜める湯の水位を入浴した人の肩や胸などの所定の箇所と同じレベルの所定の水位にすることが一般的である。これは肩や胸などの所定の箇所まで湯水を溜めることで、使用者が十分に体を暖めることができ、心地の良い入浴感を得ることができるからである。しかし湯溜め部に複数の人や、体の大きな人が入浴する場合には問題がないが、一人で入浴する場合や体の小さな人が入浴する場合等には、浴湯を湯溜め部の所定の水位にまで溜めるのに大量の湯が必要であった。
【０００３】
そこで従来では、浴槽本体の底面に対して平板を垂直に取り付け、該平板により湯溜め部を仕切り、この仕切られた部分の夫々に入浴用の槽を配置したものが提案されている。これにより、少量の湯で各槽の所定の水位まで湯を満すことが可能となり、結果一人で入浴する場合等には湯量を節約できた（例えば特許文献１）。
【０００４】
しかし上記特許文献１に示す浴槽は、浴槽本体の底面に対して垂直に取り付けた平板により湯溜め部を仕切り、この仕切られた部分の夫々に槽を配置しているため、各槽の入浴スペースが狭く、足を伸ばして入浴する等リラックスした状態で入浴することができなかった。
【０００５】
そこで本発明者は本発明に至る過程において図５に示す浴槽を想起した。このものは浴槽本体１内部を側断面Ｌ字状に形成してあり、これにより少ない湯量で各槽の所定の水位まで湯を満すことが可能となるのは勿論のこと、尚且つ足を伸ばした状態で入浴することが可能となる。
【０００６】
しかしながら図５に示す浴槽は、入浴部を広くしたり、使用する湯量を抑えて浴槽本体１を湯水で満たしたりと、使い分けることができず不便であり、且つ体の複数の人や、体の大きい人等が入浴することができない。また図５に示す浴槽では足を伸ばすことはできるものの、この足を伸ばした状態から膝を曲げることができず、リラックスした姿勢で入浴できるとは言えない。
【０００７】
【特許文献１】
特開２００２−１４３０１５号公報
【０００８】
【発明が解決しようとする課題】
本発明は上記の点に鑑みてなされたものであり、その目的とするところは、少量の湯で浴槽本体の湯溜め部を所定の水位まで満たしたり、入浴スペースを広くしたりと使い分けることができ、しかも前記湯量を抑えることができる使用状態においては、足を伸ばしたり、膝を曲げたりして、リラックスした入浴が行える浴槽を提供することである。
【０００９】
【課題を解決するための手段】
上記課題を解決するために本発明に係る浴槽は、浴槽本体１の平面視長辺に相当する両内側面１ａ、１ｂに長手方向略中央部の上端から短辺に相当する一方の内側面１ｃ下部まで伸びる傾斜溝２、２を形成し、浴槽本体１の湯溜め部６の短辺幅と略同じ幅を有する風呂蓋４ａの両側端部を前記両傾斜溝２、２の全長に亘って着脱自在に嵌め込んでなることを特徴とするものである。
【００１０】
上記構成により、両傾斜溝２、２に嵌め込んだ風呂蓋４ａによって、側断面長方形状の浴槽本体１の湯溜め部６を、側断面台形状の入浴部Ａと、側断面三角形状の湯量カット部Ｂとに仕切ることができ、これにより一人で入浴する場合等には入浴部Ａのみに湯を入れて、少量の湯で入浴スペースである入浴部Ａの所定の水位まで満たすことができ、結果、入浴の際に使用する湯量を抑えることができる。しかもこの場合、入浴部Ａは前述のように側断面台形状をしているため、入浴部Ａに入浴した人は足を伸ばしたり、人は膝を曲げたりすることができ、リラックスした状態で入浴できる。さらには両傾斜溝２より風呂蓋４ａを取り外した際には、浴槽本体１の湯溜め部６全体を入浴スペースとでき、風呂蓋４ａの取り外しにより、入浴人数等の使用環境や、使用者の体格、好みに合わせて入浴スペースを変更できる。さらには風呂蓋４ａを前記入浴部Ａと湯量カット部Ｂに仕切る板として兼用することができ、コストダウンを図れる。
【００１１】
また請求項２は請求項１において、上記両傾斜溝２に嵌め込んだ風呂蓋４ａの両側端部と、該風呂蓋４ａの浴槽本体１の短辺に相当する一方の内側面下部に当接される部分に、パッキン５を設けてなることを特徴とするものである。
【００１２】
上記のパッキン５により、風呂蓋４ａの両側端部を傾斜溝２、２に嵌め込んだ際には浴槽本体１と風呂蓋４ａとの間を止水でき、風呂蓋４ａにより仕切られた入浴スペースとなる入浴部Ａの湯水が湯量カット部Ｂに浸入することを確実に防止できる。
【００１３】
【発明の実施の形態】
本発明を添付図面に示す実施形態に基づいて説明する。図２は本実施形態の浴槽本体１の斜視図である。なお以下の説明では説明を簡略化するために、浴槽本体１の平面視長辺に相当する両内側面を単に内側面１ａ、１ｂと称し、浴槽本体１の平面視短辺に相当する一方の内側面、すなわち入浴者の足側の内側面を内側面１ｃと称し、浴槽本体１の平面視短辺に相当する他方の内側面、すなわち入浴者の背側の内側面を内側面１ｄと称する。
【００１４】
浴槽本体１の平面視略長方形状であり、浴槽本体１の平面視中央部に形成した湯溜め部６は平面視略長方形状である。浴槽本体１の内側面１ａ及び内側面１ｂの夫々には相対向する傾斜溝２、２を形成してあり、各傾斜溝２、２は各内側面１ａ、１ｂにおける長手方向略中央部の上端から内側面１ｃの下部まで伸びている。さらに本実施形態ではこの浴槽本体１の内側面１ｃに前記両傾斜溝２、２の内側面１ｃ側の端部同士を接続する水平溝７を形成している。そして上記傾斜溝２、２及び水平溝７の溝幅は後述する中仕切用風呂蓋４ａの厚みと略同じである。
【００１５】
図３に上記浴槽本体１の上端面に載置されて、湯溜め部６の平面視における全体を覆う組み蓋４を示す。該組み蓋４は浴槽本体１と平面視略同形同大であり、長手方向に並べた複数の風呂蓋４ａ、４ｂ（本実施形態では２枚の風呂蓋）からなる。そしてこの複数の風呂蓋４ａ、４ｂのうち一枚（４ａ）は中仕切用風呂蓋として利用される。該中仕切用風呂蓋４ａは、図３に示すようにその長辺が組み蓋８の短辺に相当する。この中仕切用風呂蓋４ａの短辺幅Ｌ１は、浴槽本体１の湯溜め部６の短辺幅と略同じであり、詳しくは、該中仕切用風呂蓋４ａの短辺幅Ｌ１は前述した両傾斜溝２、２の溝底間の距離Ｌ２と同じである。またこの中仕切用風呂蓋４ａの長辺幅は上記した各傾斜溝２、２の長手方向の長さと略同じである。
【００１６】
そして上記浴槽本体１の湯溜め部６に使用者の肩や胸などと同レベルの所定の水位まで湯水を満たす場合は、図３に示すように浴槽本体１の上端面に載置された中仕切用風呂蓋４ａを平面視９０°回転し、該中仕切用風呂蓋４ａの両側端部である短手方向における両端部を図１に示すように前記両傾斜溝２、２の全長に亘って着脱自在に嵌め込むと共に中仕切用風呂蓋４ａの浴槽本体１の内側面１ｃの下部に当接する。詳述すると、上記中仕切用風呂蓋４ａの嵌め込みは、中仕切用風呂蓋４ａの両側端部を両傾斜溝２、２の上端より挿入し、該中仕切用風呂蓋４ａを押し込んで、中仕切用風呂蓋４ａの長手方向の一方の端部を水平溝７の全長に亘って嵌め込んで水平溝７の底面に当接する。この場合、中仕切用風呂蓋４ａの長手方向における他方の端部は浴槽本体１の上端面と略面一となる。
【００１７】
このように両傾斜溝２の全長に亘って中仕切用風呂蓋４ａの両側端部を嵌め込むと共に、該中仕切用風呂蓋４ａの長手方向の一方の端部を水平溝７の全長に亘って嵌め込むことで、中仕切用風呂蓋４ａは、その長手方向における一方の端部が浴槽本体１の内側面１ｃの下部に位置すると共に、その長手方向における他方の端部が浴槽本体１の長手方向略中央部の上端に位置することとなり、このように傾斜させて配設した中仕切用風呂蓋４ａにより、側断面長方形状の浴槽本体１の湯溜め部を、図１に示すように側断面台形状の入浴部Ａと、側断面三角形状の湯量カット部Ｂとに仕切ることができ、これにより一人で入浴する場合等には、前記入浴部Ａを少量の湯で入浴者の肩や胸などの所定箇所と同じレベルの所定の水位にまで満たすことができ、入浴の際に使用する湯量を抑えることができる。しかもこの場合、入浴部Ａは前述のように側断面台形状であるため、入浴部Ａに入浴した人は足を伸ばしたり、膝を曲げたりすることが可能であり、リラックスした状態で入浴できる。さらには組み蓋４の一部を構成する中仕切用風呂蓋４ａを入浴部Ａと湯量カット部Ｂに仕切る板として兼用することができ、コストダウンを図れる。
【００１８】
また上記傾斜溝２及び水平溝７に嵌め込んだ中仕切用風呂蓋４ａを上方から引き抜いて取り外すことで、浴槽本体１の湯溜め部６全体を入浴スペースとでき、複数の人や体の大きな人が入浴することができる。またこのように中仕切用風呂蓋４ａを取り外したり、取り付けたりすることで、入浴人数等の使用環境や、使用者の体格、好みに合わせて入浴スペースを変更することができ便利である。
【００１９】
また図４に示すように、中仕切用風呂蓋４ａの短手方向における両側端部及び浴槽本体１の内側面１ｃの下部に当接される部分に、パッキン５を設けることも好ましい。詳述すると、上記中仕切用風呂蓋４ａの両傾斜溝２、２及び水平溝７に接する部分、更に詳しくは浴槽本体１の上端面に載置される中仕切用風呂蓋４ａの上面もしくは下面のどちらか一方の、周方向における平面視一方の短辺に相当する部分を除く周縁部にはパッキン５を設けている。このように設けたパッキン５を上にして、中仕切用風呂蓋４ａを両傾斜溝２、２及び水平溝７に嵌め込むことで、入浴部Ａに湯水を満たした際には該パッキン５が水圧により各傾斜溝２、２及び水平溝７の上部により押しつけられ、これにより入浴部Ａの湯水が湯量カット部Ｂに浸入することを確実に防止できる。また本実施形態のパッキン５は着脱自在に中仕切風呂蓋４ａの周縁部に装着されており、これによりパッキン５が傷んだ際には容易に交換することが可能となっている。
【００２０】
【発明の効果】
以上説明したように本発明では、一人で入浴する場合等には少量の湯で所定の水位まで入浴スペースを満たすことができ、しかもこの場合、使用者は足を伸ばしたり、膝を曲げたりでき、リラックスした状態で入浴できる。さらには両傾斜溝より風呂蓋を取り外すことで、浴槽本体の湯溜め部全体を入浴スペースとでき、入浴人数等の使用環境や、使用者の体格、好みに合わせて入浴スペースを変更できる。さらには風呂蓋を湯溜め部を仕切る板として利用することができ、浴槽のコストダウンを図れる。
【図面の簡単な説明】
【図１】本発明の実施の形態の一例を示すものであり、浴槽本体に風呂蓋を取り付けた状態を示す浴槽の側断面図である。
【図２】同上の浴槽本体の斜視図である。
【図３】同上の浴槽本体及び組み蓋（風呂蓋）を上方から見た説明図である。
【図４】同上の風呂蓋の平面図である。
【図５】本発明者が本発明に至る過程において想起した浴槽の側断面図である。
【符号の説明】
１  浴槽本体
１ａ  内側面
１ｂ  内側面
１ｃ  内側面
２  傾斜溝
４ａ  風呂蓋
５  パッキン
６  湯溜め部
【図１】
2004350795.tif 000003
【図２】
2004350795.tif 000004
【図３】
2004350795.tif 000005
【図４】
2004350795.tif 000006
【図５】
2004350795.tif 000007